(57)【要約】【課題】旋回流が薬剤容器に当たる際の水の跳ね上がりを抑制し、また、旋回流の速度の減速を抑制し周壁やボウル部を効率良く洗浄する上で有利な薬剤容器を提供すること。【解決手段】旋回流は容器本体１２に衝突するが、細長の流線形を呈し、旋回流に対する容器本体１２の抵抗は少ない。そのため、水の跳ね上がりを抑制する上で有利となり、また、旋回流の減速が最小限に抑制され、薬剤１８を含む旋回流により便器本体２０の周壁２２の内周面２２０２、ボウル部を効果的に洗浄する上で有利となる。また、旋回流に対する容器本体１２の抵抗が少ないため、周壁２２の内周面２２０２に対する薬剤容器１０の当初の位置、姿勢を長期にわたって維持する上で有利となり、薬剤１８を含む旋回流により便器本体２０の周壁２２の内周面２２０２、ボウル部を効果的に洗浄する上で有利となる。【選択図】図１
2020190166.tif 000002
【特許請求の範囲】
【請求項１】
水洗大便器の便器本体を構成する周壁の上端のリムに吊り掛けられる吊り掛け具に支持され、前記周壁の内周面に対向して配置される薬剤容器であって、
薬剤を収容する収容部を有する容器本体と、前記容器本体に設けられ前記吊り掛け具に結合される結合部とを備え、
前記容器本体は、高さと、幅と、前記高さおよび前記幅よりも大きい寸法の長さとを有し、
前記容器本体を前記幅方向から見ると少なくとも前記長さ方向の半部は前記長さ方向の端部が凸状の細長の流線形を呈している、
ことを特徴とする薬剤容器。
【請求項２】
前記容器本体を前記幅方向から見ると前記長さ方向の両端が凸状で前記長さ方向の全長にわたり細長の流線形を呈している、
ことを特徴とする請求項１記載の薬剤容器。
【請求項３】
前記幅と前記高さの寸法割合は１：１である、
ことを特徴とする請求項１または２記載の薬剤容器。
【請求項４】
前記容器本体は、前記高さ方向において互いに対向しそれらの内側に前記収容部が形成される上面壁部と下面壁部とを含んで構成され、
前記高さは、前記幅方向と直交する方向または前記長さ方向と直交する方向における前記上面壁部の表面と前記下面壁部の表面間の寸法であり、
前記容器本体の幅方向の一端は、前記長さ方向の全長にわたって前記幅方向と直交する単一の仮想平面状に位置し、
前記容器本体の幅は、前記長さ方向の中央から前記長さ方向に沿って離れるにつれて小さくなるように形成され、
前記容器本体の長さ方向から見た高さは、前記容器本体の幅方向の一端から他端に向かうにつれて小さくなる寸法で形成され、
前記容器本体の前記幅方向から見た高さは、前記長さ方向の中央から前記長さ方向に沿って離れるにつれて小さくなるように形成され、
前記容器本体の幅方向の一端に水の前記収容部への流入と流出を可能とした開口部が設けられている、
ことを特徴とする請求項２または請求項２を引用する請求項３記載の薬剤容器。
【請求項５】
前記上面壁部と下面壁部は、前記高さ方向に直交し前記高さの中心を通る仮想平面に対して面対称な曲面形状で形成されている、
ことを特徴とする請求項４記載の薬剤容器。
【請求項６】
前記開口部は、前記容器本体の幅方向の一端において、前記長さ方向および高さ方向の全域にわたって前記収容部を開放している、
ことを特徴とする請求項４または５記載の薬剤容器。
【請求項７】
前記容器本体の幅と前記幅方向から見た前記容器本体の高さは、前記容器本体の長さ方向の中央から前記長さのほぼ１／３程度までは、中央から離れるにつれて次第に小さくなる寸法で形成され、前記長さ方向の中央から前記長さのほぼ１／３程度よりも離れると、離れるにつれて急激に小さくなる寸法で形成され、
前記容器本体の長さ方向から見た高さは、前記容器本体の幅方向の一端から前記幅方向の中央までは、前記容器本体の幅方向の一端から離れるにつれて次第に小さくなる寸法で形成され、前記中央から更に離れると、離れるにつれて急激に小さくなる寸法で形成されている、
ことを特徴とする請求項４〜６の何れか１項記載の薬剤容器。
【請求項８】
前記容器本体に、前記収容部を複数に分割する仕切り壁が設けられている、
ことを特徴とする請求項１〜７の何れか１項記載の薬剤容器。
【請求項９】
前記結合部は、前記上面壁部または前記下面壁部の少なくとも一方に設けられている、
ことを特徴とする請求項４または５または６または７、または請求項４を引用する請求項８記載の薬剤容器。
【発明の詳細な説明】
【技術分野】
【０００１】
本発明は、水洗大便器の便器本体の内側で使用される薬剤容器に関する。
【背景技術】
【０００２】
水洗大便器では、便器本体の周壁の内周面に水吐出口から水を吐出させ、周壁の内周面に沿って旋回する水の旋回流を形成し、この旋回流により周壁やボウル部を洗浄するようにしている。
水洗大便器の便器本体の内側で使用される薬剤容器は、便器本体を構成する周壁の上端のリムに吊り掛けられる吊り掛け具で支持され、便器本体の周壁の内周面に対向して配置される（特許文献１）。
そして、周壁の内周面に水吐出口から水が吐出されると、旋回流の一部が薬剤容器に当たり、薬剤容器に収容された薬剤がその表面から少しずつ溶解し水と共に旋回流となり、薬剤を含む水の旋回流により周壁やボウル部が洗浄される。
【先行技術文献】
【特許文献】
【０００３】
【特許文献１】特開２０１６−１３８４０１号公報
【発明の概要】
【発明が解決しようとする課題】
【０００４】
しかしながら従来の薬剤容器は、平面や凸状の曲面で形成されていることから、旋回流の一部が薬剤容器に当たると、水が跳ね上がる不具合があり、また、旋回流の勢いが弱められて旋回流の速度が減速され、周壁やボウル部を効率良く洗浄する上で不利があった。
本発明は前記事情に鑑み案出されたものであって、本発明の目的は、旋回流の一部が薬剤容器に当たる際の水の跳ね上がりを抑制する上で有利で、また、旋回流の速度の減速を抑制し周壁やボウル部を効率良く洗浄する上で有利な薬剤容器を提供することにある。
【課題を解決するための手段】
【０００５】
上述の目的を達成するために、本発明は、水洗大便器の便器本体を構成する周壁の上端のリムに吊り掛けられる吊り掛け具に支持され、前記周壁の内周面に対向して配置される薬剤容器であって、薬剤を収容する収容部を有する容器本体と、前記容器本体に設けられ前記吊り掛け具に結合される結合部とを備え、前記容器本体は、高さと、幅と、前記高さおよび前記幅よりも大きい寸法の長さとを有し、前記容器本体を前記幅方向から見ると少なくとも前記長さ方向の半部は前記長さ方向の端部が凸状の細長の流線形を呈していることを特徴とする。
また、本発明は、前記容器本体を前記幅方向から見ると前記長さ方向の両端が凸状で前記長さ方向の全長にわたり細長の流線形を呈していることを特徴とする。
また、本発明は、前記幅と前記高さの寸法割合は１：１であることを特徴とする。
また、本発明は、前記容器本体は、前記高さ方向において互いに対向しそれらの内側に前記収容部が形成される上面壁部と下面壁部とを含んで構成され、前記高さは、前記幅方向と直交する方向または前記長さ方向と直交する方向における前記上面壁部の表面と前記下面壁部の表面間の寸法であり、前記容器本体の幅方向の一端は、前記長さ方向の全長にわたって前記幅方向と直交する単一の仮想平面状に位置し、前記容器本体の幅は、前記長さ方向の中央から前記長さ方向に沿って離れるにつれて小さくなるように形成され、前記容器本体の長さ方向から見た高さは、前記容器本体の幅方向の一端から他端に向かうにつれて小さくなる寸法で形成され、前記容器本体の前記幅方向から見た高さは、前記長さ方向の中央から前記長さ方向に沿って離れるにつれて小さくなるように形成され、前記容器本体の幅方向の一端に水の前記収容部への流入と流出を可能とした開口部が設けられていることを特徴とする。
また、本発明は、前記上面壁部と下面壁部は、前記高さ方向に直交し前記高さの中心を通る仮想平面に対して面対称な曲面形状で形成されていることを特徴とする。
また、本発明は、前記開口部は、前記容器本体の幅方向の一端において、前記長さ方向および高さ方向の全域にわたって前記収容部を開放していることを特徴とする。
また、本発明は、前記容器本体の幅と前記幅方向から見た前記容器本体の高さは、前記容器本体の長さ方向の中央から前記長さのほぼ１／３程度までは、中央から離れるにつれて次第に小さくなる寸法で形成され、前記長さ方向の中央から前記長さのほぼ１／３程度よりも離れると、離れるにつれて急激に小さくなる寸法で形成され、前記容器本体の長さ方向から見た高さは、前記容器本体の幅方向の一端から前記幅方向の中央までは、前記容器本体の幅方向の一端から離れるにつれて次第に小さくなる寸法で形成され、前記中央から更に離れると、離れるにつれて急激に小さくなる寸法で形成されていることを特徴とする。
また、本発明は、前記容器本体に、前記収容部を複数に分割する仕切り壁が設けられていることを特徴とする。
また、本発明は、前記結合部は、前記上面壁部または前記下面壁部の少なくとも一方に設けられていることを特徴とする。
【発明の効果】
【０００６】
本発明によれば、旋回流の一部は容器本体に衝突するが、容器本体の長手方向の半部は細長の流線形を呈しているため、旋回流に対する容器本体の抵抗は少なく、薬剤容器の箇所での水の跳ね上がりを抑制する上で有利となる。
また、旋回流の減速が抑制され、薬剤を含む旋回流により便器本体の周壁の内周面やボウル部を効果的に洗浄する上で有利となる。
また、旋回流に対する容器本体の抵抗が少ないため、便器本体の周壁の内周面に対する薬剤容器の位置、姿勢を維持する上で有利となり、薬剤を含む旋回流により便器本体の周壁の内周面やボウル部を効果的に洗浄する上で有利となる。
また、容器本体がその長さ方向の全長にわたり流線形を呈していると、旋回流に対する容器本体の抵抗はより少なく、薬剤容器の箇所での水の跳ね上がりを抑制する上でより有利となる。
その結果、旋回流は薬剤容器の箇所において速やかに上下に２分されて流れ、旋回流の流れの薬剤容器の下流箇所では、２分された流れは統合され便器本体の周壁の内周面に再び沿って流れる。
したがって、旋回流の減速が最小限に抑制され、薬剤を含む旋回流により便器本体の周壁の内周面やボウル部を効果的に洗浄する上でより有利となる。
また、旋回流に対する容器本体の抵抗が少ないため、便器本体の周壁の内周面に対する薬剤容器の位置、姿勢を長期にわたって維持する上でより有利となり、薬剤を含む旋回流により便器本体の周壁の内周面やボウル部を効果的に洗浄する上でより有利となる。
また、幅と高さの寸法割合を１：１で形成すると、旋回流に対する容器本体の抵抗を少なくし、薬剤を含む旋回流により便器本体の周壁の内周面やボウル部を効果的に洗浄する上で有利となる。
また、容器本体の高さ、幅、長さが流線形を形成すべき範囲に設定されていると、旋回流の減速が最小限に抑制され、薬剤を含む旋回流により便器本体の周壁の内周面やボウル部を効果的に洗浄する上でより有利となる。
また、上面壁部と下面壁部は、高さ方向に直交し高さ中心を通る仮想平面に対して面対称な曲面形状で形成されていると、薬剤を含む旋回流により便器本体の周壁の内周面やボウル部を効果的に洗浄する上でより有利となる。
また、開口部が、容器本体の幅方向の一端において、長さ方向および高さ方向の全域にわたって収容部を開放するように形成されていると、薬剤を旋回流に対して適切な割合で水に溶解させることができ、薬剤を含む旋回流により便器本体の周壁の内周面やボウル部を効果的に洗浄する上でより有利となる。
また、仕切り壁を設けると、薬剤を旋回流に対して適切な割合で水に溶解させる上で有利となり、便器本体の周壁の内周面やボウル部を効果的に洗浄する上でより有利となる。
また、結合部は、上面壁部や下面壁部に簡単に設けることが可能である。
【図面の簡単な説明】
【０００７】
【図１】薬剤容器の説明図で、（Ａ）は正面図、（Ｂ）は平面図、（Ｃ）は側面図、（Ｄ）は斜視図、（Ｅ）は収容部に薬剤が充填された状態の（Ａ）のＥ―Ｅ線断面図である。
【図２】吊り掛け具を介して薬剤容器が便器本体の周壁の内周面に配置された状態の説明図である。
【図３】旋回流が薬剤容器により２分される説明図である。
【発明を実施するための形態】
【０００８】
以下、本実施の形態について図１〜図３を参照して説明する。
図１に示すように、薬剤容器１０は、薬剤１８を収容し支持するものである。
薬剤容器１０に収容される薬剤１８は、洗浄用、除菌用、汚れ付着防止用、臭気消臭用、芳香用のものが使用され、水との接触により表面から少しずつ溶解するものである。
薬剤容器１０には、合成樹脂や金属など従来公知の様々な材料が採用可能である。
薬剤容器１０は、薬剤１８を収容し支持する収容部１２Ａを有する容器本体１２と、容器本体１２に設けられ吊り掛け具１６に結合される結合部１４とを備え、それらは一体に設けられ、図２に示すように、薬剤容器１０は、吊り掛け具１６を介して水洗大便器の便器本体２０の内側で使用される
【０００９】
容器本体１２は、高さＨと、幅Ｗと、高さＨおよび幅Ｗよりも大きい寸法の長さＬとを有し、薄い肉厚で均一の厚さの壁部で形成され、容器本体１２を幅Ｗ方向から見ると、長さＬ方向の両端が凸状で長さＬ方向の全長にわたり細長の流線形を呈している。
なお、容器本体１２の高さＨと幅Ｗの寸法は、幅Ｗが高さＨよりも小さい寸法で形成されていてもよく、幅Ｗが高さＨよりも大きい寸法で形成されていてもよく、高さＨと幅Ｗの寸法割合は、水洗大便器メーカー毎に設定される旋回流の流量や流速に応じて適宜決定されるが、本実施の形態のように、幅Ｗと高さＨの寸法割合を１：１にすると、旋回流の流量や流速の如何に拘らず旋回流に対する容器本体１２の抵抗を低減する上で有利となる。
なお、容器本体１２の高さＨ、幅Ｗ、長さＬは後述するように容器本体１２の箇所により異なるため、上述の高さＨ、幅Ｗ、長さＬの寸法割合は、高さＨの最大値、幅Ｗの最大値、長さＬの最大値の寸法割合である。
図２に示すように、容器本体１２は、高さＨ方向をほぼ上下方向に向けて、また、後述する開口部１２Ｂが設けられた幅Ｗ方向の端部を便器本体２０の周壁２２の内周面２２０２に対向させ、長さＬ方向をほぼ水平方向に向けて使用される。
容器本体１２は、高さＨ方向において互いに対向しそれらの内側に収容部１２Ａが形成される上面壁部１２０２と下面壁部１２０４とを含んで構成されている。
上面壁部１２０２と下面壁部１２０４は、互いに向かい合う内面１２０２Ａ、１２０４Ａと、内面１２０２Ａ、１２０４Ａと反対に位置する表面１２０２Ｂ、１２０４Ｂを有している。
図１（Ａ）に示すように、高さＨは、幅Ｗ方向と直交する方向または長さＬ方向と直交する方向における上面壁部１２０２の表面１２０２Ｂと下面壁部１２０４の表面１２０４Ｂ間の寸法である。
上面壁部１２０２と下面壁部１２０４とは高さＨ方向に直交し高さＨの中心を通る仮想平面に対して面対称な曲面形状で形成されている。
収容部１２Ａは、上面壁部１２０２と下面壁部１２０４の内側で形成され、すなわち、上面壁部１２０２の内面１２０２Ａと下面壁部１２０４の内面１２０４Ａ間に形成され、容器本体１２の高さＨ方向、幅Ｗ方向、長さＬ方向の全域にわたって設けられている。
図１（Ｅ）に示すように、この収容部１２Ａに薬剤１８が充填され、言い換えると、薬剤１８が収容され支持されている。
【００１０】
図１（Ｂ）、（Ｃ）に示すように、容器本体１２の幅Ｗ方向の一端は、長さＬ方向の全長にわたって幅Ｗ方向と直交する単一の仮想平面状に位置し、容器本体１２を便器本体２０の周壁２２の内周面２２０２に近づけて配置できるように図られている。
図１（Ｂ）に示すように、容器本体１２の幅Ｗは、長さＬ方向の中央から長さＬ方向に沿って離れるにつれて小さくなるように形成されている。
より詳細には、容器本体１２の幅Ｗは、容器本体１２の長さＬ方向の中央から長さＬのほぼ１／３程度までは、中央から離れるにつれて次第に小さくなる寸法で形成され、長さＬ方向の中央から長さＬのほぼ１／３程度よりも離れると、離れるにつれて急激に小さくなる寸法で形成されている。
【００１１】
図１（Ａ）に示すように、容器本体１２の幅Ｗ方向から見た高さＨは、長さＬ方向の中央から長さＬ方向に沿って離れるにつれて小さくなるように形成されている。
より詳細には、容器本体１２の幅Ｗ方向から見た高さＨは、容器本体１２の長さＬ方向の中央から長さＬのほぼ１／３程度までは、中央から離れるにつれて次第に小さくなる寸法で形成され、長さＬ方向の中央から長さＬのほぼ１／３程度よりも離れると、離れるにつれて急激に小さくなる寸法で形成されている。
図１（Ｃ）に示すように、容器本体１２の長さＬ方向から見た高さＨは、容器本体１２の幅Ｗ方向の一端から他端に向かうにつれて小さくなる寸法で形成されている。
より詳細には、容器本体１２の長さＬ方向から見た高さＨは、容器本体１２の幅Ｗ方向の一端から幅Ｗ方向の中央までは、容器本体１２の幅Ｗ方向の一端から離れるにつれて次第に小さくなる寸法で形成され、中央から更に離れると、離れるにつれて急激に小さくなる寸法で形成されている。
【００１２】
図１（Ａ）、（Ｄ）に示すように、容器本体１２の幅Ｗ方向の一端に、収容部１２Ａへの水の流入と流出を可能とした開口部１２Ｂが設けられている。
本実施の形態では、開口部１２Ｂは、容器本体１２の幅Ｗ方向の一端において、長さＬ方向および高さＨ方向の全域にわたって収容部１２Ａを開放している。
容器本体１２の幅Ｗ方向の他端は、上面壁部１２０２の先端と下面壁部１２０４の先端とが長さＬ方向の全長にわたり接合され、図１（Ｃ）、図３において符号１２０６は、上面壁部１２０２の先端と下面壁部１２０４との先端が接合されて形成された稜線を示している。
また、容器本体１２の内部、すなわち収容部１２Ａを複数に分割する仕切り壁１２０８が設けられている。
本実施の形態では、容器本体１２の長さＬ方向の中央に、幅Ｗ方向および高さＨ方向の全長にわたって収容部１２Ａ内を延在し収容部１２Ａを２分する仕切り壁１２０８が設けられている。したがって、図１（Ａ）、（Ｄ）に示すように、薬剤１８も仕切り壁１２０８により２分された収容部１２Ａに収容され、旋回流を形成する水の一部により徐々に薬剤１８が溶解するように図られている。
収容部１２Ａ内に仕切り壁１２０８を設けることで、効果の異なる薬剤を収容することが可能となり、例えば、洗浄成分と除菌成分を分けて収容することで、高い効力を持ちながら混合すると互いの成分によって効力が落ちてしまう薬剤を選択することが可能となり、洗浄と除菌に関して高い効果を得ることができる。
また、効果の異なる薬剤を着色し、分けて収容することで、それぞれの薬剤によって効果が発揮されるという効果感や使用感を、見た目にも上げることが可能となる。
なお、仕切り壁１２０８の個数や延在方向は任意であり、要するに、使用時に、水との接触により徐々に薬剤１８が溶解するように設けられれば良い。
【００１３】
結合部１４は、上面壁部１２０２の長さＬ方向の中央で、幅Ｗ方向の中間部に設けられ、詳細には幅Ｗ方向の中心よりも開口部１２Ｂ側に変位した箇所に設けられている。
結合部１４は、吊り掛け具１６が結合される箇所である。
図２に示すように、本実施の形態の吊り掛け具１６は、リム２４の上端面に載置される載置部１６０１と、載置部１６０１の両端から突出しリム２４を跨いで周壁２２の上部を挟持する一対の脚部１６０２Ａ、１６０２Ｂと、周壁２２の内周面２２０２に配置される一方の脚部１６０２Ａの下端に設けられた吊り掛け具側結合部１６０４と、周壁２２の外周面２２０４に配置される他方の脚部１６０２Ｂの下端に設けられたつまみ部１６０６とを有している。
したがって、吊り掛け具１６は、便器掃除などの取り外しの際に、便器本体２０の内側に手を入れることなく、また、薬剤容器１４を便器本体２０の内側に落下させることなく、便器本体２０の外側に位置するつまみ部１６０６を摘まんで引き上げることにより、衛生的に薬剤供給具１０を取り外すことができるように図られている。
吊り掛け具側結合部１６０４は断面が矩形の係止片１６０４Ａと、係止片１６０４Ａの先部に設けられた突起１６０４Ｂとを含んで構成されている。
【００１４】
結合部１４は、図１（Ａ）、（Ｄ）に示すように、上面壁部１２０２から膨出した膨出部１４０２と、膨出部１４０２に容器本体１２の幅Ｗ方向に貫通形成された断面が矩形状の孔１４０４とで構成されている。
膨出部１４０２は、平面視した場合、図１（Ａ）、（Ｂ）、（Ｄ）に示すように、容器本体１２の長さＬ方向に細長形状を呈し、膨出部１４０２の表面は、長さＬ方向の中央部が最も高く、中央部から離れるにつれて次第に低くなり上面壁部１２０２の表面１２０２Ｂに連続状に接続される流線形で形成され、結合部１４の箇所での水の跳ね上がりの防止が図られている。
図２に示すように、結合部１４の孔１４０４に、吊り掛け具１６の脚部１６０２Ａの下端の係止片１６０４Ａが押し込まれ、係止片１６０４Ａの先部の突起１６０４Ｂが孔１４０４の周辺の膨出部１４０２の面に係止することにより、薬剤容器１０は周壁２２の内周面２２０２に対向した姿勢で吊り掛け具１６により安定した状態で保持される。
本実施の形態では、容器本体１２が吊り掛け具１６により保持された状態で、容器本体１２の上面壁部１２０２の長さＬ方向の中央で幅Ｗ方向の一端側の端部が周壁２２の内周面２２０２に当接される。
なお、結合部１４は、下面壁部１２０４に設けてもよく、あるいは、上面壁部１２０２と下面壁部１２０４の双方に設けてもよく、吊り掛け具１６の構造により適宜決定され、また、吊り掛け具１６と係脱する結合部１４の構造には、ねじやクリップを用いてもよく、実施の形態の構造に限定されず、従来公知の様々な係脱構造が適用可能である。
【００１５】
次に、本実施の形態の薬剤容器１０の使用方法、作用、効果について説明する。
図２に示すように、収容部１２Ａに薬剤１８が充填された薬剤容器１０は、吊り掛け具１６により便器本体２０の内側で開口部１２Ｂを周壁２２（リム２４）の内周面に対向させ、容器本体１２の高さＨ方向を上下方向に向け、幅Ｗ方向を水平方向に向け、長さＬ方向を水平方向に向けて配置される。
周壁２２の内周面２２０２に水吐出口から水が吐出されると、この水は周壁２２の内周面２２０２に沿って旋回する旋回流を形成する。
そして、旋回流を構成する水の一部が薬剤１８に接触し、薬剤１８がその表面から少しずつ溶解し、薬剤１８を含む水は旋回流に戻され水と共に旋回流となり、薬剤１８を含む水の旋回流により周壁２２やボウル部が洗浄される。
【００１６】
水吐出口から水が吐出されることにより形成された旋回流は、周壁２２の内周面２２０２に沿って旋回し、この旋回流は容器本体１２に衝突するが、容器本体１２は、旋回流に向けて凸状の球面や平面を有しておらず長さＬ方向に細長の流線形を呈し、言い換えると、容器本体１２は旋回流の流れの方向に長さＬ方向を向けた細長の流線形を呈している。
そのため、旋回流に対する容器本体１２の抵抗は少なく、旋回流の一部が薬剤容器１０の箇所で跳ね上がることもない。
その結果、図３に示すように、薬剤容器１０の箇所において、旋回流は上面壁部１２０２の表面１２０２Ｂと下面壁部１２０４の表面１２０４Ｂにより速やかに上下に２分されて流れ、旋回流の流れの薬剤容器１０の下流箇所では、２分された流れは統合され周壁２２の内周面２２０２に沿って再び流れる。
したがって、本実施の形態の薬剤容器１０によれば、旋回流に対する容器本体１２の抵抗は少なく、旋回流の減速が最小限に抑制され、薬剤１８を含む旋回流により便器本体２０の周壁２２の内周面２２０２、ボウル部を効果的に洗浄する上で有利となる。
また、旋回流に対する容器本体１２の抵抗が少ないため、周壁２２の内周面２２０２に対する薬剤容器１０の当初の位置、姿勢を長期にわたって維持する上で有利となり、薬剤１８を含む旋回流により便器本体２０の周壁２２の内周面２２０２、ボウル部を効果的に洗浄する上で有利となる。
【００１７】
また、容器本体１２の高さＨ、幅Ｗ、長さＬが上述のように設定されているため、旋回流の減速が最小限に抑制され、薬剤１８を含む旋回流により便器本体２０の周壁２２の内周面２２０２、ボウル部を効果的に洗浄する上でより有利となる。
また、上面壁部１２０２と下面壁部１２０４は、高さＨ方向に直交し高さＨの中心を通る仮想平面に対して面対称な曲面形状で形成されているため、旋回流の減速が最小限に抑制され、薬剤１８を含む旋回流により便器本体２０の周壁２２の内周面２２０２、ボウル部を効果的に洗浄する上でより有利となる。
また、旋回流を構成する水の一部を薬剤１８に接触させ、薬剤１８を含む水を旋回流に戻す開口部１２Ｂの形状には、従来公知の様々な構成が採用可能であるが、実施の形態のように、開口部１２Ｂを、容器本体１２の幅Ｗ方向の一端において、長さＬ方向および高さＨ方向の全域にわたって収容部１２Ａを開放するように形成すると、薬剤を旋回流に対して適切な割合で水に溶解させることができ、薬剤１８を含む旋回流により便器本体２０の周壁２２の内周面２２０２、ボウル部を効果的に洗浄する上でより有利となる。
また、仕切り壁１２０８は省略可能であるが、本実施の形態のように仕切り壁１２０８を設けると、薬剤１８を旋回流に対して適切な割合で水に溶解させる上で有利となり、便器本体２０の周壁２２の内周面２２０２、ボウル部を効果的に洗浄する上でより有利となる。
【００１８】
なお、幅Ｗ方向から見て少なくとも容器本体１０の長さＬ方向の半部が、その端部が凸状の細長の流線形を呈している場合であっても、旋回流に対する容器本体１０の抵抗は少なくなるため、薬剤容器１０の箇所で水の跳ね上がりを抑制する上で有利となり、また、旋回流の減速が抑制され、薬剤１８を含む旋回流により便器本体２０の周壁２２の内周面２２０２、ボウル部を効果的に洗浄する上で有利となり、周壁２２の内周面２２０２に対する薬剤容器１０の当初の位置、姿勢を維持する上で有利となる。ただし実施の形態のように、幅Ｗ方向から見て容器本体１０が、長さＬ方向の両端が凸状で長さＬ方向の全長にわたり細長の流線形を呈している場合には水の跳ね上がりを抑制する上で、また、ボウル部を効果的に洗浄する上で、また、周壁２２の内周面２２０２に対する薬剤容器１０の当初の位置、姿勢を長期にわたって維持する上でより有利となる。
幅Ｗ方向から見て少なくとも容器本体１０の長さＬ方向の半部が、その端部が凸状の細長の流線形を呈している場合には、図１（Ｃ）に示すように、容器本体１０の長さＬ方向で流線形に形成された容器本体１０の端部から容器本体１０を見たときに、残りの容器本体１０の長さＬ方向の半部は、流線形に形成された容器本体１０の長さＬ方向の半部の輪郭内に収まる形状で形成されていると水の跳ね上がりを抑制する上で好ましい。
また、薬剤容器１０が配置される水洗大便器の周壁２２の上部のリム２４の構造は、本実施の形態の構造のものに限定されず、従来公知の様々な構造に広く適用される。
また、薬剤容器１０を水洗大便器の周壁２２の内周面に配置する吊り掛け具１６は、本実施の形態の構造のものに限定されず任意であり、吊り掛け具１６の構造は、リム２４の構造によって変化する。
【符号の説明】
【００１９】
１０  薬剤容器
１２  容器本体
１２Ａ  収容部
１２Ｂ  開口部
１２０２  上面壁部
１２０２Ａ  内面
１２０２Ｂ  表面
１２０４  下面壁部
１２０４Ａ  内面
１２０４Ｂ  表面
１２０８  仕切り壁
１４  結合部
１６  吊り掛け具
１８  薬剤
２０  便器本体
２２  周壁
２２０２  内周面
Ｈ  容器本体の高さ
W  容器本体の幅
Ｌ  容器本体の長さ
【図１】
2020190166.tif 000003
【図２】
2020190166.tif 000004
【図３】
2020190166.tif 000005